(57)【要約】  【課題】  翌月以降の患者数の動向や医業収入の増減等について、精度よい予測値を得たいとする欲求がある。  【解決手段】  入力された診療内容に基づいて医療費を算定する医療事務用計算機において、診療内容及び医療費に係るデータを診療単位に記憶する診療情報記憶手段と、月毎の開業日または開業日数を記憶する稼動日記憶手段と、診療情報記憶手段を参照してその月の１日平均患者数を計算する患者数集計手段と、該計算した過去の月毎の１日平均患者数に基づいて線形回帰分析の手法により将来の試算対象月の１日平均患者数を月毎に予測計算する患者数予測計算手段と、該予測計算した将来の試算対象月の１日平均患者数にその月の稼働日数を掛けてその月の予測延患者数を計算する延患者数計算手段とを備えた構成である。  【選択図】図１
2006243922.tif 000002
【特許請求の範囲】
【請求項１】
入力された診療内容に基づいて医療費を算定する医療事務用計算機であって、
診療内容及び医療費に係るデータを診療単位に記憶する診療情報記憶手段と、
月毎の開業日または開業日数を記憶する稼動日記憶手段と、
診療情報記憶手段を参照してその月の１日平均患者数を計算する患者数集計手段と、
該計算した過去の月毎の１日平均患者数に基づいて線形回帰分析の手法により将来の試算対象月の１日平均患者数を月毎に予測計算する患者数予測計算手段と、
該予測計算した将来の試算対象月の１日平均患者数にその月の稼働日数を掛けてその月の予測延患者数を計算する延患者数計算手段と、
を備えた医療事務用計算機。
【請求項２】
入力された診療内容に基づいて医療費を算定する医療事務用計算機であって、
診療内容及び医療費に係るデータを診療単位に記憶する診療情報記憶手段と、
月毎の開業日または開業日数を記憶する稼動日記憶手段と、
診療情報記憶手段と稼動日記憶手段とを参照して月毎の延患者数と１日平均患者数とを計算する患者数集計手段と、
該計算した過去の月毎の１日平均患者数に基づいて線形回帰分析の手法により将来の試算対象月の１日平均患者数を月毎に予測計算する患者数予測計算手段と、
該予測計算した将来の試算対象月の１日平均患者数にその月の稼働日数を掛けてその月の予測延患者数を計算する延患者数計算手段と、
診療情報記憶手段に記憶された医療費に係る情報と前記延患者数とによって過去の１人１回当りの診療単価を月毎に計算する診療単価計算手段と、
該計算した過去の月毎の診療単価に基づいて線形回帰分析の手法により将来の試算対象月の診療単価を月毎に予測計算する診療単価予測計算手段と、
前記予測計算した将来の試算対象月の延患者数と診療単価を乗じて月毎の医業収入を計算する医業収入計算手段と、
を備えた医療事務用計算機。
【請求項３】
入力された診療内容に基づいて医療費を算定する医療事務用計算機であって、
診療内容及び医療費に係るデータを診療単位に記憶する診療情報記憶手段と、
患者の窓口負担額に係るデータを診療単位に記憶する出納情報記憶手段と、
月毎の開業日または開業日数を記憶する稼動日記憶手段と、
診療情報記憶手段と稼動日記憶手段とを参照して月毎の延患者数と１日平均患者数とを計算する患者数集計手段と、
該計算した過去の月毎の１日平均患者数に基づいて線形回帰分析の手法により将来の試算対象月の１日平均患者数を月毎に予測計算する患者数予測計算手段と、
該予測計算した将来の試算対象月の１日平均患者数にその月の稼働日数を掛けてその月の予測延患者数を計算する延患者数計算手段と、
診療情報記憶手段に記憶された医療費に係る情報と前記延患者数とによって過去の１人１回当りの診療単価を月毎に計算する診療単価計算手段と、
該計算した過去の月毎の診療単価に基づいて線形回帰分析の手法により将来の試算対象月の診療単価を月毎に予測計算する診療単価予測計算手段と、
該予測計算した将来の試算対象月の診療単価と前記予測延患者数とを乗じて月毎の予測医業収入を計算する医業収入計算手段と、
出納情報記憶手段に記憶された窓口負担額と診療情報記憶手段に記憶された医療費に係る情報とから月毎の窓口現金収入率を計算する現金収入率計算手段と、
該計算した過去の月毎の窓口現金収入率に基づいて線形回帰分析の手法により将来の試算対象月の窓口現金収入率を月毎に予測計算する現金収入率予測計算手段と、
該予測計算した将来の試算対象月の現金収入率と前記将来の試算対象月の医業収入とを
乗じて月毎の予測窓口負担額を計算する負担額計算手段と、
計算した将来の試算対象月の予測延患者数と予測医業収入と予測窓口負担額とを表示出力する手段と、
を備えた医療事務用計算機。
【請求項４】
請求項１乃至請求項３のいずれかに記載の医療事務用計算機において、
過去の実績データに基づいて前記試算対象月の延患者数を補正する補正率を計算する補正率計算手段を更に設け、
前記延患者数計算手段は計算した予測延患者数に前記補正率計算手段が計算したその月の補正率を乗じて補正する、
ことを特徴とする医療事務用計算機。
【請求項５】
請求項１乃至請求項４のいずれかに記載の医療事務用計算機において、
法令改正による診療報酬の改定率と少なくともその改正施行年月とを記憶する記憶手段を更に設け、
前記医業収入計算手段は、試算対象月が改正施行後にあたる場合、計算した予測医業収入に前記改定率を乗じて補正する、
ことを特徴とする医療事務用計算機。
【請求項６】
入力された診療内容に基づいて医療費を算定する医療事務用計算機において、
診療内容及び医療費に係るデータを診療情報記憶手段に診療単位に記憶する診療情報記憶ステップと、
月毎の開業日または開業日数を稼動日記憶手段に記憶する稼動日記憶ステップと、
診療情報記憶手段を参照してその月の１日平均患者数を計算する患者数集計ステップと、
該計算した過去の月毎の１日平均患者数に基づいて線形回帰分析の手法により将来の試算対象月の１日平均患者数を月毎に予測計算する患者数予測計算ステップと、
該予測計算した将来の試算対象月の１日平均患者数にその月の稼働日数を掛けてその月の予測延患者数を計算する延患者数計算ステップと、
を有することを特徴とする患者数等試算方法。
【請求項７】
入力された診療内容に基づいて医療費を算定する医療事務用計算機において、
診療内容及び医療費に係るデータを診療情報記憶手段に診療単位に記憶する診療情報記憶ステップと、
月毎の開業日または開業日数を稼動日記憶手段に記憶する稼動日記憶ステップと、
診療情報記憶手段と稼動日記憶手段とを参照して月毎の延患者数と１日平均患者数とを計算する患者数集計ステップと、
該計算した過去の月毎の１日平均患者数に基づいて線形回帰分析の手法により将来の試算対象月の１日平均患者数を月毎に予測計算する患者数予測計算ステップと、
該予測計算した将来の試算対象月の１日平均患者数にその月の稼働日数を掛けてその月の予測延患者数を計算する延患者数計算ステップと、
診療情報記憶手段に記憶された医療費に係る情報と前記延患者数とによって過去の１人１回当りの診療単価を月毎に計算する診療単価計算ステップと、
該計算した過去の月毎の診療単価に基づいて線形回帰分析の手法により将来の試算対象月の診療単価を月毎に予測計算する診療単価予測計算ステップと、
前記予測計算した将来の試算対象月の延患者数と診療単価を乗じて月毎の医業収入を計算する医業収入計算ステップと、
を有することを特徴とする患者数等試算方法。
【請求項８】
入力された診療内容に基づいて医療費を算定する医療事務用計算機において、
診療内容及び医療費に係るデータを診療情報記憶手段に診療単位に記憶する診療情報記憶ステップと、
患者の窓口負担額に係るデータを出納情報記憶手段に診療単位に記憶する出納情報記憶ステップと、
月毎の開業日または開業日数を稼動日記憶手段に記憶する稼動日記憶ステップと、
診療情報記憶手段と稼動日記憶手段とを参照して月毎の延患者数と１日平均患者数とを計算する患者数集計ステップと、
該計算した過去の月毎の１日平均患者数に基づいて線形回帰分析の手法により将来の試算対象月の１日平均患者数を月毎に予測計算する患者数予測計算ステップと、
該予測計算した将来の試算対象月の１日平均患者数にその月の稼働日数を掛けてその月の予測延患者数を計算する延患者数計算ステップと、
診療情報記憶手段に記憶された医療費に係る情報と前記延患者数とによって過去の１人１回当りの診療単価を月毎に計算する診療単価計算ステップと、
該計算した過去の月毎の診療単価に基づいて線形回帰分析の手法により将来の試算対象月の診療単価を月毎に予測計算する診療単価予測計算ステップと、
該予測計算した将来の試算対象月の診療単価と前記予測延患者数とを乗じて月毎の予測医業収入を計算する医業収入計算ステップと、
出納情報記憶手段に記憶された窓口負担額と診療情報記憶手段に記憶された医療費に係る情報とから月毎の窓口現金収入率を計算する現金収入率計算ステップと、
該計算した過去の月毎の窓口現金収入率に基づいて線形回帰分析の手法により将来の試算対象月の窓口現金収入率を月毎に予測計算する現金収入率予測計算ステップと、
該予測計算した将来の試算対象月の現金収入率と前記将来の試算対象月の医業収入とを乗じて月毎の予測窓口負担額を計算する負担額計算ステップと、
計算した将来の試算対象月の予測延患者数と予測医業収入と予測窓口負担額とを表示出力するステップと、
を有することを特徴とする患者数等試算方法。
【請求項９】
請求項６乃至請求項８のいずれかに記載の医療事務用計算機における患者数等試算方法において、
過去の実績データに基づいて前記試算対象月の延患者数を補正する補正率を計算する補正率計算ステップを更に設け、
前記延患者数計算ステップは計算した予測延患者数に前記補正率計算ステップで計算したその月の補正率を乗じて補正する、
ことを特徴とする医療事務用計算機における患者数等試算方法。
【請求項１０】
請求項６乃至請求項９のいずれかに記載の医療事務用計算機における患者数等試算方法において、
法令改正による診療報酬の改定率と少なくともその改正施行年月とを記憶手段に記憶するステップを更に設け、
前記医業収入計算ステップは、試算対象月が改正施行後にあたる場合、計算した予測医業収入に前記記憶した改定率を乗じて補正する、
ことを特徴とする医療事務用計算機における患者数等試算方法。
【請求項１１】
コンピュータを、
診療内容及び医療費に係るデータを診療単位に記憶する診療情報記憶手段、
月毎の開業日または開業日数を記憶する稼動日記憶手段、
診療情報記憶手段を参照してその月の１日平均患者数を計算する患者数集計手段、
該計算した過去の月毎の１日平均患者数に基づいて線形回帰分析の手法により将来の試算対象月の１日平均患者数を月毎に予測計算する患者数予測計算手段、
該予測計算した将来の試算対象月の１日平均患者数にその月の稼働日数を掛けてその月
の予測延患者数を計算する延患者数計算手段、
として機能させるためのプログラム。
【請求項１２】
コンピュータを、
診療内容及び医療費に係るデータを診療単位に記憶する診療情報記憶手段、
月毎の開業日または開業日数を記憶する稼動日記憶手段、
診療情報記憶手段と稼動日記憶手段とを参照して月毎の延患者数と１日平均患者数とを計算する患者数集計手段、
該計算した過去の月毎の１日平均患者数に基づいて線形回帰分析の手法により将来の試算対象月の１日平均患者数を月毎に予測計算する患者数予測計算手段、
該予測計算した将来の試算対象月の１日平均患者数にその月の稼働日数を掛けてその月の予測延患者数を計算する延患者数計算手段、
診療情報記憶手段に記憶された医療費に係る情報と前記延患者数とによって過去の１人１回当りの診療単価を月毎に計算する診療単価計算手段、
該計算した過去の月毎の診療単価に基づいて線形回帰分析の手法により将来の試算対象月の診療単価を月毎に予測計算する診療単価予測計算手段、
前記予測計算した将来の試算対象月の延患者数と診療単価を乗じて月毎の医業収入を計算する医業収入計算手段、
として機能させるためのプログラム。
【請求項１３】
コンピュータを、
診療内容及び医療費に係るデータを診療単位に記憶する診療情報記憶手段、
患者の窓口負担額に係るデータを診療単位に記憶する出納情報記憶手段、
月毎の開業日または開業日数を記憶する稼動日記憶手段、
診療情報記憶手段と稼動日記憶手段とを参照して月毎の延患者数と１日平均患者数とを計算する患者数集計手段、
該計算した過去の月毎の１日平均患者数に基づいて線形回帰分析の手法により将来の試算対象月の１日平均患者数を月毎に予測計算する患者数予測計算手段、
該予測計算した将来の試算対象月の１日平均患者数にその月の稼働日数を掛けてその月の予測延患者数を計算する延患者数計算手段、
診療情報記憶手段に記憶された医療費に係る情報と前記延患者数とによって過去の１人１回当りの診療単価を月毎に計算する診療単価計算手段、
該計算した過去の月毎の診療単価に基づいて線形回帰分析の手法により将来の試算対象月の診療単価を月毎に予測計算する診療単価予測計算手段、
該予測計算した将来の試算対象月の診療単価と前記予測延患者数とを乗じて月毎の予測医業収入を計算する医業収入計算手段、
出納情報記憶手段に記憶された窓口負担額と診療情報記憶手段に記憶された医療費に係る情報とから月毎の窓口現金収入率を計算する現金収入率計算手段、
該計算した過去の月毎の窓口現金収入率に基づいて線形回帰分析の手法により将来の試算対象月の窓口現金収入率を月毎に予測計算する現金収入率予測計算手段、
該予測計算した将来の試算対象月の現金収入率と前記将来の試算対象月の医業収入とを乗じて月毎の予測窓口負担額を計算する負担額計算手段、
計算した将来の試算対象月の予測延患者数と予測医業収入と予測窓口負担額とを表示出力する手段、
として機能させるためのプログラム。
【請求項１４】
請求項１１乃至請求項１３のいずれかにおいて、
さらにコンピュータを、過去の実績データに基づいて前記試算対象月の延患者数を補正する補正率を計算する補正率計算手段として機能させ、
前記延患者数計算手段を、計算した予測延患者数に前記補正率計算手段が計算したその
月の補正率を乗じて補正する手段、
として機能させるためのプログラム。
【請求項１５】
請求項１１乃至請求項１４のいずれかにおいて、
さらにコンピュータを、法令改正による診療報酬の改定率と少なくともその改正施行年月とを記憶する記憶手段として機能させ、
前記医業収入計算手段を、試算対象月が改正施行後にあたる場合、計算した予測医業収入に前記記憶手段に記憶した改定率を乗じて補正する手段、
として機能させるためのプログラム。
【発明の詳細な説明】
【技術分野】
【０００１】
本発明は、医療事務処理装置に係り、医療機関において将来の来院患者数や医業収入を、実績データをもとに試算する方法及び装置に関する。
【背景技術】
【０００２】
医療機関において保険請求の事務処理を助ける装置である医療事務処理装置あるいはレセプトコンピュータと呼ばれる装置が普及している。そして、この医療事務処理装置に記録した諸データに基づいて、医療機関の経営改善を支援するシステムが特許文献１に開示されている。同システムは、複数の医療機関の診療や経営指標に係るデータを集め、それら実績データと当該医療機関のデータとを比較してその比較情報を提供するものである。これにより医療機関の過去及び現時点の状況を知ることができるものであるが、また、一方で医療機関が資金計画を立てる際等には、翌月以降の患者数の動向や医業収入の増減等について、精度よい予測値を得たいとする欲求もある。
【特許文献１】特開２００１−２１６３７９
【発明の開示】
【発明が解決しようとする課題】
【０００３】
医療事務処理装置には患者の受診日付とその診療データ、及びそれに基づいて計算した診療報酬に係るデータ、また、患者から受け取った一部負担金額等のデータが患者ごとに記録されている。そして、それらのデータをもとにして月毎の患者数や医業収入額、窓口一部負担金額等の実績データを集計し、帳票出力したり表示出力したりすることができた。
【０００４】
しかし、医療事務処理装置にデータがまだ記録されていない翌月以降の患者数や医業収入を予測するためには、当該医療機関の稼動日数即ち休診日を除く開院日数の月毎の違いや、季節変動を考慮する必要がある。また、診療報酬額を改定する法令改正の施行年月をはさむときにはその影響も考慮しなければならないので、精度よく予測するものが従来はなかった。
【課題を解決するための手段】
【０００５】
本発明は、入力された診療内容に基づいて医療費を算定する医療事務用計算機において、診療内容及び医療費に係るデータを診療単位に記憶する診療情報記憶手段と、月毎の開業日または開業日数を記憶する稼動日記憶手段と、診療情報記憶手段を参照してその月の１日平均患者数を計算する患者数集計手段と、該計算した過去の月毎の１日平均患者数に基づいて線形回帰分析の手法により将来の試算対象月の１日平均患者数を月毎に予測計算する患者数予測計算手段と、該予測計算した将来の試算対象月の１日平均患者数にその月の稼働日数を掛けてその月の予測延患者数を計算する延患者数計算手段とを備え、上記課題を解決するものである。
【発明の効果】
【０００６】
本発明の医療事務用計算機によれば、実績データに基づいて近い将来の来院患者数や医業収入、窓口負担額等の予測値を簡単に得ることができる。しかもその実績データは日常の業務で記録した診療データや会計データを使うので、あらためて基礎データを入力する等の手間がかからないものである。また、来院患者数の季節変動に対応できるように、月毎の補正係数を過去の実績データをもとに自動で計算し、予測値を補正するので、より精度の良い予測値を得ることができる。また、法令改正による診療報酬の改定率、例えば中央社会保険医療協議会が公表する改定率等を設定できるので、改定の影響を反映した予測
値を得ることができるようになる。
【発明を実施するための最良の形態】
【０００７】
本発明の実施の形態における医療事務処理装置の構成を図１に示す。同装置１０はコンピュータで構成しており、制御部１１が補助記憶部１２から各種プログラムを導入して実行することで各種機能を奏するものである。制御部１１はまた、ＣＲＴ等で構成した表示手段１３やキーボード等で構成した入力手段、レーザープリンタ等の印刷手段１５を制御する基本制御機能も備えている。
【０００８】
補助記憶部１２は診療データベースと出納データベースとを記憶している。診療データベースは診療内容及び診療報酬に係る情報を記憶するデータベースである。患者が受けた診療内容をオペレータが入力手段１４入力すると、制御部１１は個々の診療行為に付けられた保険点数を合計して診療報酬を算定する。また、保険を適用できない治療費は保険外金額として計上し、それら保険点数と保険外金額とを診療単位にデータベースに記録するものである。本実施形態ではこの保険点数と保険外金額の合計を医業収入と呼んでいる。尚、現行法では保険点数は１点が１０円に相当する。
【０００９】
また、一方、診療データベースを参照して１点あるいは１円以上算定されているレコードを集計することで、制御部１１はその日に受診した患者数が分かるし、それを集計することで１ヶ月間の来院患者数が分かるものである。但し、同じ患者が２回以上受診することもあるので、ここで分かるのは延べの患者数である。本実施形態では医業収入の予測を立てることが目的であるので、ここでは延患者数を得ることに意味がある。
【００１０】
また、出納データベースは患者が窓口で支払った会計情報を記憶するデータベースである。制御部１１は算定した診療費用のうちそれぞれの保険で定める自己負担分や、保険の利かない治療や医療材料にかかる保険外費用、及びそれらを合計した請求額と、患者が窓口で支払った金額等の値を計算または取得し、会計に係る情報として記録する。即ち、出納データベースは医療機関の現金収入の記録である。尚、上述した患者が窓口で支払う現金を本実施形態では窓口負担額と呼んでいる。
【００１１】
補助記憶部１２は、また、稼動日ファイルと補正係数ファイルとを記憶している。稼動日ファイルは医療機関の月毎の稼動日を記録したファイルである。これはカレンダー形式で毎月の診療日と休診日とをオペレータが予め入力設定するものである。このファイルを参照することで制御部１１はその月の稼働日数が何日であるかを計算することができる。尚、稼動日数が何日であるか別途月毎に記録しておいてもよい。
【００１２】
また、補正係数ファイルは制御部１１が試算した予測値を補正するための係数を記録する。補正係数としては予測患者数を補正するための患者数補正率Ａと、診療報酬を改定する法令改正の影響を反映させるための改定率Ｂとがある。患者数補正率Ａは、制御部１１が最近の実績から試算した翌月以降の予測患者数を、来院患者数の季節変動に沿うように修正するためのものである。制御部１１は過去データを参照して対象月の患者数補正率Ａを動的に決定するが、試算条件設定画面でオペレータが個別に入力して設定することもできる。
【００１３】
ここで、患者数補正率Ａを計算する手順を説明する。制御部１１は先ず、診療データベースを参照して実績データが記録されている過去月すべての延患者数を集計し、その総和を求める。それを実績データが記録された過去すべての月の月数で除して延患者数の総平均値ａ１を求める。次に、試算対象の月、例えば４月について、実績データのある各年の４月の延患者数の和を求め、それを４月の実績データが記録されている年数で除して平均値ａ２を求める。そして、ａ２をａ１で除して対象月の患者数補正率Ａとするのである。
【００１４】
一方、改定率Ｂは、診療報酬点数表が改定施行される月以降、診療報酬が平均で何％増加または減少するかを表すものである。改定率は中央社会保険医療協議会が改正日前に公表するので、医療機関では自院が受ける改定の影響をおおよそ把握することができるものである。そして、例えば、４月１日から新しい点数表が施行されてその改定率が平均１．５％の増加である場合、オペレータは改定率Ｂを「＋１．５％」に設定し、その施行年月とともに予め登録しておく。制御部１１は改正前の３月までの実績で計算した４月の診療報酬の予測値にこの改定率Ｂを乗じ、１．５％増加させて法令改正の影響を反映させるものである。
【００１５】
次に本実施形態の動作について説明する。本装置では、診療データベースと出納データベースに記録された過去データに基づいて、オペレータが指定した未来の試算対象月について来院患者数と医業収入と、窓口での現金収入の予測値を計算して提示する。本実施形態では、この予測値を計算することを試算すると言う。
【００１６】
図４に本装置の動作フローを示す。先ず、制御部１１は表示手段１３に試算条件設定画面を表示して条件入力を受け付ける。試算条件設定画面は図２に示すようなものであり、オペレータは基準年月と、試算期間と、患者数補正率と、改定率とを指定することができる。
【００１７】
基準年月とは、予測値を計算する際に利用する過去データの最初の月を指すものである。制御部１１はこの月以降の実績データを使って線形回帰分析の手法により将来の値を計算する。
【００１８】
試算期間とは、確定した実績データを持つ最新月の翌月を起点として、そこから何ヶ月分の予測値を計算するかを指定するものである。例えば、２００５年３月まで実績データが記録されている場合に、２００５年４月から２ヶ月分を試算するよう指定する。このような試算対象の月を単に試算月とも言う。
【００１９】
患者数補正率Ａは、例えば花粉症の流行時期に入ると耳鼻科では急に患者が増えるといったように、それまでの患者推移から外れた動きをすることがあり、それに合せてその月の予測患者数を補正するために使用するものである。通常は過去のデータに基づいて制御部１１が計算して決定するが、過去データがないか十分に揃っていない場合にオペレータが設定することもできる。そして、改定率Ｂは、法令改正施行後に診療報酬が平均で何％増減するかを指定するものである。
【００２０】
制御部１１は、少なくとも基準年月と試算期間とが指定されて試算の開始が指示されると、基準年月と試算期間を取得し（ステップＳ１１）、試算に必要な実績データを先ず取得する（同Ｓ１２）。即ち、指定された基準年月から試算期間の前月までの各実績月について、延患者数と、医業収入と、窓口負担額とを医療データベース及び出納データベースから取得する。
【００２１】
そして、その実績データをもとにして試算期間における診療単価と、１日平均患者数と、窓口現金収入率の予測値を月単位に算出する（同Ｓ１３）。
【００２２】
診療単価とは診療１回当りの平均の医業収入であり、その月の総医業収入を延患者数で割ったものである。そこで、制御部１１は、実績月の診療単価をそれぞれ求め、そこから線形回帰分析により試算月それぞれの診療単価を試算する。
【００２３】
また、１日平均患者数は当該月の延患者数を稼動日数で割ったものである。そこで、制
御部１１は、実績月の一日平均患者数をそれぞれ求め、そこから線形回帰分析により試算月それぞれの一日平均患者数を試算する。
【００２４】
また、窓口現金収入率とは、診療１回当りの平均医業収入に対する患者の窓口負担額の比率であり、その月の総窓口負担額を総医業収入で除して計算する。そこで、制御部１１は実績月の窓口現金収入率をそれぞれ求め、そこから線形回帰分析により試算月それぞれの窓口現金収入率を試算する。
【００２５】
次に、制御部１１は、稼動日ファイルを参照して試算期間の各月の稼働日数を取得し、それぞれ先に算出した１日平均患者数を掛けて、月毎の予測患者数を計算する（同Ｓ１４）。但し、これは過去データから単純に予測した暫定の患者数である。そこで、制御部１１は、補正係数ファイルから試算月の患者数補正率Ａを読み出し、暫定の予測患者数に掛けて補正しておく（同Ｓ１５）。これを延患者数最終予測値とする。
【００２６】
そして、補正した予測患者数に診療単価を乗じた医業収入の予測値を、試算期間の月毎に計算する（同Ｓ１６）。通常はこれで医業収入の試算は完了であるが、試算期間が法令改正の施行後にあたって改定率Ｂが設定されているときは、さらにその改定率Ｂを乗じて各月の医業収入を補正する（同Ｓ１８）。これを医業収入最終予測値とする。
【００２７】
次に、制御部１１は、その医業収入最終予測値に窓口現金収入率を掛けて各月の窓口負担額予測値を計算する（同Ｓ１９）。
【００２８】
そして、これら計算した試算期間各月の延患者数最終予測値と、医業収入最終予測値と、窓口負担額予測値とを分かりやすく表示手段１３に表示出力する。または印刷手段１５から帳票出力するものである（同Ｓ２０）。
【００２９】
試算結果の帳票出力例を図３に示す。指定された基準年月の１月から３月まではデータベースに記録されている実績データを出力し、試算期間の４月から２ヶ月間は試算した予測データを出力している。それぞれのデータの上にはサブタイトル「実績値」及び「予測値」を出力して利用者がはっきり区別できるようにしている。
【図面の簡単な説明】
【００３０】
【図１】実施形態の医療事務処理装置の構成を示すブロック図である。
【図２】実施形態の試算条件設定画面の表示例を示す図である。
【図３】実施形態の帳票出力例を示す図である。
【図４】実施形態の処理手順を示す流れ図である。
【符号の説明】
【００３１】
１０  医療事務処理装置
１１  制御部
１２  補助記憶部
１３  表示手段
１４  入力手段
１５  印刷手段
【図１】
2006243922.tif 000003
【図２】
2006243922.tif 000004
【図３】
2006243922.tif 000005
【図４】
2006243922.tif 000006